(57)【特許請求の範囲】
【請求項１】
被検査体の検査部における、酸素の有無に伴って可逆的に色変化する可変色色素組成物の有無を検知する真贋判定装置であって、
前記被検査体の少なくとも前記検査部を無酸素状態にする検査手段を有する真贋判定装置。
【請求項２】
前記検査手段が、紙またはプラスチックシートからなる前記被検査体の前記検査部を、一方が透明板である１対の空気不透過性のシート状の圧板により緊密に挟みつけることにより前記１対の圧板間の気体を排出して無酸素状態にするものである、請求項１に記載の真贋判定装置。
【請求項３】
前記検査手段が、前記被検査体の少なくとも前記検査部を収容する密閉容器と、前記密閉容器内の気体を排出して真空状態にする真空ポンプとを有する、請求項１に記載の真贋判定装置。
【請求項４】
前記検査手段が、前記検査部に対し不活性ガスを噴射することにより無酸素状態にする不活性ガス噴射手段を有する、請求項１に記載の真贋判定装置。
【請求項５】
前記検査手段が、前記検査部を覆うように配置されるカップを有し、前記不活性ガス噴射手段が前記カップ内に不活性ガスを噴射するものである、請求項４に記載の真贋判定装置。
【請求項６】
前記不活性ガス噴射手段が、不活性ガスボンベと、前記不活性ガスボンベと前記カップとの間に介在する弁とを有する、請求項５に記載の真贋判定装置。
【請求項７】
前記不活性ガス噴射手段が手動のスプレーである、請求項４に記載の真贋判定装置。
【請求項８】
前記不活性ガス噴射手段が、多数の噴射口が設けられたディスペンサを有している、請求項４に記載の真贋判定装置。
【請求項９】
前記検査手段により無酸素状態にされた前記検査部の色変化の有無を検知する判定手段を有する、請求項１〜８のいずれか１項に記載の真贋判定装置。
【請求項１０】
前記判定手段が、前記検査部を撮像する撮像手段を有する、請求項９に記載の真贋判定装置。
【請求項１１】
前記判定手段が、前記検査部の反射率を測定する反射率測定器を有する、請求項９に記載の真贋判定装置。
【請求項１２】
前記判定手段が、前記検査部の色調を測定する測色計を有する、請求項９に記載の真贋判定装置。
【請求項１３】
複数の前記被検査体を前記検査手段に向けて連続的に供給する被検査体搬送手段を有する、請求項１〜１２のいずれか１項に記載の真贋判定装置。
【請求項１４】
被検査体の検査部を無酸素状態にし、
酸素の有無に伴って可逆的に色変化する可変色色素組成物が前記検査部に塗布されているか否かを検知することにより、前記被検査体の真贋を判定する真贋判定方法。
【発明の詳細な説明】
【０００１】
【発明の属する技術分野】
本発明は、プリペイドカードや各種入場券等の被検査体の真贋を判定する真贋判定装置および真贋判定方法に関する。
【０００２】
【従来の技術】
プリペイドカードや各種入場券や商品券や株券などの有価証券は、広く流通しており比較的容易に換金可能であるなどの理由から、従来より偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。
【０００３】
従来、紙やプラスチックシートからなる、有価証券等の基材であるシート材自体の偽造を阻止することが困難な場合に、このシート材にホログラムラベルや光輝性ラベルなどの偽造困難なラベル（シール）を貼付したものがある。ホログラムラベルや光輝性ラベルは容易には偽造できないため、このラベルの有無や、このラベルが真正品であるか否かを判定することによって、真贋を判定できる。
【０００４】
また、特殊な蛍光インクを用いて真贋判定用符号を形成しておき、通常状態では、視認不能かつ光学的読み取り不能であるが、所定の条件下において、真贋判定用符号が識別可能になるものがある。例えば、紫外線領域あるいは赤外線領域における特定波長光（ブラックライトなど）を照射すると蛍光を発する特殊な蛍光インクを用いて真贋判定用符号を形成し、可視光の下では視認不能で、特定波長光を照射した時にのみ符号を視認可能にすることができる。この場合、偽造物であるおそれがあるものを、所定の条件下におく、すなわち特定波長光を照射することによって、容易に真贋判定することができる。
【０００５】
【発明が解決しようとする課題】
ホログラムラベルや光輝性ラベルを用いる方法は、偽造を困難にするという点や、特別な真贋判定装置を必要とせず通常状態で真贋判定が可能で便利であるという点で優れているが、ホログラムラベルや光輝性ラベルが高価であるため、有価証券等の被検査体の製造コストが高くなるという問題がある。また、ホログラムラベルや光輝性ラベルは、表面に傷がつくと所望の機能が得られなくなるため、貼付時等の取り扱いには注意を要し、その結果、有価証券等の被検査体の製造工程が非常に煩雑になるという問題がある。
【０００６】
特殊な蛍光インクにより真贋判定用符号を形成する方法は、製造コストの上昇や製造工程の煩雑化を伴わず、通常状態では符号が隠蔽されていて使用者に意識させないという点などで優れている。しかし、このような特殊な蛍光インクは、淡い色調のものが多く、場合によっては、真贋判定時に明確に識別できないことがある。従って、光学的読み取り装置を用いて真贋判定を自動的に行うことは困難である。また、この技術は、現在では一般に広く知られており、ブラックライト照射装置が一般に市販されているため、誰もが真贋判定用符号を簡単に読み取ることができる。さらに、蛍光インクの普及が拡大することによって、特殊性が薄れてきている。従って、ブラックライト照射装置を用いて真正品の真贋判定用符号を読み取り、蛍光インクによってそれに類似した符号を形成した偽造品を製造することは、さほど困難なことでなくなってきている。
【０００７】
通常、このような偽造防止および真贋判定の技術は、確立されてから年月が経ち一般に認知されるようになると、その技術を逆手にとった偽造方法が可能になり、偽造の困難性が薄れてくることは避け得ない。従って、常に、一般に知られていない新規な偽造防止および真贋判定の技術が開発されることが望まれる。
【０００８】
そこで、本発明の目的は、製造コストの上昇や製造工程の煩雑化を抑制しつつ、容易に真贋判定可能であるとともに偽造品の製造を困難にする、新規な真贋判定装置および真贋判定方法を提供することにある。
【０００９】
【課題を解決するための手段】
本発明の特徴は、被検査体の検査部における、酸素の有無に伴って可逆的に色変化する可変色色素組成物の有無を検知する真贋判定装置において、被検査体の少なくとも前記検査部を無酸素状態にする検査手段を有するところにある。これによると、無酸素状態にされた検査部の色変化の有無を検知することによって可変色色素組成物の有無がわかり、可変色色素組成物が設けられている真正品と、可変色色素組成物が設けられていない偽造品とを見分けることができる。また、被検査体のうち検査部のみを無酸素状態にする構成であると、真贋判定装置の小型化および構成の簡略化が図れる。
【００１０】
検査手段が、紙またはプラスチックシートからなる被検査体の検査部を、一方が透明板である１対の空気不透過性のシート状の圧板により緊密に挟みつけることにより１対の圧板間の気体を排出して無酸素状態にするものであってもよい。
【００１１】
または、検査手段が、被検査体の少なくとも検査部を収容する密閉容器と、密閉容器内の気体を排出して真空状態にする真空ポンプとを有するものであってもよい。
【００１２】
または、検査手段が、検査部に対し不活性ガスを噴射することにより無酸素状態にする不活性ガス噴射手段を有するものであってもよい。この場合、検査手段が、検査部を覆うように配置されるカップを有し、不活性ガス噴射手段がカップ内に不活性ガスを噴射するものであってもよい。さらに、不活性ガス噴射手段が、不活性ガスボンベと、不活性ガスボンベとカップとの間に介在する弁とを有するもの、あるいは不活性ガス発生装置などであってもよい。また、不活性ガス噴射手段が手動のスプレーであってもよい。または、不活性ガス噴射手段が、多数の噴射口が設けられたディスペンサを有していてもよい。
【００１３】
さらに、検査手段により無酸素状態にされた検査部の色変化の有無を検知する判定手段を有することが好ましい。判定手段が、検査部を撮像する撮像手段を有していてもよく、または、判定手段が、検査部の反射率を測定する反射率測定器を有していてもよく、または、判定手段が、検査部の色調を測定する測色計を有していてもよい。
【００１４】
複数の被検査体を検査手段に向けて連続的に供給する被検査体搬送手段を有していてもよい。これは、大量の被検査体の真贋判定を行う場合に効果的であるとともに、真贋判定の自動化を図る場合に特に有効である。
【００１５】
また、本発明の真贋判定方法は、被検査体の検査部を無酸素状態にし、酸素の有無に伴って可逆的に色変化する可変色色素組成物が検査部に塗布されているか否かを検知することにより、被検査体の真贋を判定する。
【００１６】
【発明の実施の形態】
以下、本発明の実施形態について図面を参照して説明する。
【００１７】
まず、本発明において真贋判定を行うべき被検査体（真正品）について、図１を参照して説明する。
本実施形態における被検査体１は、入場券などのシート材からなり、一部に可変色色素組成物が塗布されてなる真贋判定用符号２を含む検査部３が設けられている。可変色色素組成物からなる真贋判定用符号２が存在するものが真正品であり、偽造品にはこれが存在しない。シート材自体は紙またはプラスチックシートからなり、可変色色素組成物は、有酸素状態における色と無酸素状態における色が異なるため、被検査体１の検査部３が無酸素雰囲気中に置かれた場合に真贋判定用符号２の変色が視認されるものである。なお、可変色色素組成物の詳細については後述する。
【００１８】
本発明の真贋判定装置および真贋判定方法は、前記した被検査体１の真贋判定を行うものである。
【００１９】
図２に、本発明の第１の実施形態の真贋判定装置を示している。この真贋判定装置は、検査手段４と判定手段５とからなる。検査手段４は、被検査体１を挟み込む１対の圧板である下板６および透明上板７と、弾性を有し下板６に接する加圧ロール８とを有している。下板６は空気不透過性のシートであり、透明上板７は空気不透過性で透明なガラスや樹脂からなるシートである。加圧ロール８は、下板６および透明上板７によって被検査体１を強く圧力をかけて上下から挟み込むために、下板６に圧力を加えるものである。
判定手段５は、透明上板７を介して被検査体１の検査部３と対向し、この検査部３を撮像する撮像手段（ＣＣＤカメラ）９と、撮像手段から得た画像データを分析する処理手段１０とからなる。
【００２０】
この真贋判定装置を用いた真贋判定方法について説明する。まず下板６と透明上板７との間に被検査体１を配置する。そして、加圧ローラ８により下板６を強く押圧して被検査体１を上下から圧接した状態で、加圧ローラ８の回転により下板６、被検査体１、透明上板７を移動させる。この時、強い圧力によって、透明上板７と被検査体１との間の空気を押し出して排出し、両者の間を実質的な真空状態にする。すなわち、被検査体１の表面が無酸素状態となるので、可変色色素組成物が変色し、検査部３に変色した真贋判定用符号２が現れる。そこで、撮像手段９により検査部３を撮像し、その画像データを処理手段１０で分析することにより、変色した真贋判定用符号２が認識され、この被検査体１が真正品であると判断される。
【００２１】
従来、酸素の有無に伴って色変化する可変色色素組成物を用いて真贋判定を行う技術は存在しておらず、通常状態（有酸素状態）と検査状態（無酸素状態）とで真贋判定用符号２の色が変わることは、一般の使用者には想像し得ない。特に、一般の使用者の目には触れないところで検査を行うようにすれば、このような真贋判定が行われ得ることは想像し得ない。また、通常状態（有酸素状態）では無色で検査状態（無酸素状態）に発色する可変色色素組成物を用いると、通常状態（有酸素状態）では、真贋判定用符号２の存在自体が視認されないので、仮に偽造を試みる者がいるとしても、可変色色素組成物を用いて真正品と類似の符号を形成することに思い至る可能性はほぼあり得ない。少なくとも、酸素の有無に伴って色変化する可変色色素組成物により真贋判定用符号２を形成することが広く一般に知れわたらない限り、本実施形態による真贋判定および真正品と区別不可能な偽造の防止の効果は極めて大きい。
【００２２】
次に、図３を参照して本発明の第２の実施形態について説明する。なお、前記した実施形態と同様の構成については、同一の符号を付与し説明を省略する。
本実施形態の真贋判定装置は、被検査体１を収容して密封可能な密閉容器１１とこの密閉容器１１に接続されている真空ポンプ１２とからなる検査手段１３と、反射率測定器（判定手段）１４とからなる。密閉容器１１の、少なくとも反射率測定器１４に対向する部分は透明である。
【００２３】
この実施形態によると、被検査体１を密閉容器１１内に収容し、真空ポンプ１２を作動させて密閉容器１１内の空気を吸引し真空状態にする。すなわち、被検査体１の表面が無酸素状態となるので、可変色色素組成物が変色し、検査部３に変色した真贋判定用符号２が現れる。そこで、反射率測定器１４により検査部３の反射率を測定して、その反射率の変化により、真贋判定用符号２の変色が認識され、この被検査体１が真正品であると判断される。
【００２４】
次に、図４を参照して本発明の第３の実施形態について説明する。なお、前記した各実施形態と同様の構成については、同一の符号を付与し説明を省略する。
本実施形態の真贋判定装置は、中空の半球状のカップ１５と、このカップ１５に接続されている不活性ガスボンベ１６と、カップ１５と不活性ガスボンベ１６との間に介在する電磁式の弁１７とからなる検査手段１８と、測色計（判定手段）１９とからなる。カップ１５の、少なくとも測色計１９に対向する部分は透明である。
【００２５】
この実施形態によると、被検査体１の検査部３を覆うようにカップ１５を配置し、弁１７を開いてカップ１５内部に不活性ガスボンベ１６から不活性ガスを噴射する。カップ１５内が噴射された不活性ガスに満たされると、空気が押し出され、被検査体１の表面が無酸素状態となる。従って、可変色色素組成物が変色し、検査部３に変色した真贋判定用符号２が現れる。そこで、測色計１９により検査部３の色を検知して、真贋判定用符号２の変色が認識され、この被検査体１が真正品であると判断される。
【００２６】
次に、図５を参照して本発明の第４の実施形態について説明する。なお、前記した各実施形態と同様の構成については、同一の符号を付与し説明を省略する。
本実施形態の真贋判定装置は、不活性ガスを噴射する手動のスプレー（検査手段）２０のみからなる簡便なものである。
【００２７】
この実施形態によると、検査者がスプレー２０を操作し、被検査体１の検査部３に向けて不活性ガスを噴射する。このとき、不活性ガスの勢いにより検査部３の周囲の空気が押しやられ、検査部３の表面が無酸素状態となる。従って、可変色色素組成物が変色し、検査部３に変色した真贋判定用符号２が現れる。そこで、検査者が真贋判定用符号２の変色を視認することにより、この被検査体１が真正品であると判断される。
【００２８】
次に、図６を参照して本発明の第５の実施形態について説明する。なお、前記した各実施形態と同様の構成については、同一の符号を付与し説明を省略する。
本実施形態の真贋判定装置は、検査手段２４と判定手段２５とからなる。検査手段２４は、不活性ガスを収容している不活性ガス容器２１と、不活性ガス容器２１に接続されており多数の噴射口２２を有するパイプ状のディスペンサ２３とからなる。判定手段２５は、噴射口２２に対応して設けられている多数の撮像手段（ＣＣＤカメラ）２６と、各撮像手段２６から得た画像データを分析する単一の処理手段２７とからなる。
【００２９】
この実施形態では、多数の被検査体１がセットされ、不活性ガス容器２１の不活性ガスが、ディスペンサ２３の噴射口２２から多数の被検査体１の検査部３に向けて同時に噴射される。このとき、不活性ガスの勢いにより各検査部３の周囲の空気が押しやられ、各検査部３の表面が無酸素状態となる。従って、可変色色素組成物が変色し、各検査部３に変色した真贋判定用符号２が現れる。そこで、各撮像手段２６により各検査部３をそれぞれ撮像し、その画像データを処理手段２７で分析して、真贋判定用符号２の変色が認識された被検査体１は真正品であると判断され、真贋判定用符号２の変色が認識されなかった被検査体１は偽造品であると判断される。
【００３０】
この実施形態によると、多数の被検査体１が同時に真贋判定できるので、作業効率が向上する。なお、不活性ガスが各噴射口２２から常時噴射される構成であっても、検査者のなんらかの操作によって検査時にのみ噴射される構成であってもよい。
【００３１】
次に、図７，８を参照して本発明の第６の実施形態について説明する。なお、前記した各実施形態と同様の構成については、同一の符号を付与し説明を省略する。
【００３２】
本実施形態の真贋判定装置は、被検査体１の真贋判定を連続的かつ自動的に行い得る構成であり、検査手段３０と判定手段５と被検査体搬送手段２８と装置枠体２９とからなる。検査手段３０は、不活性ガスを収容している不活性ガス容器（図示せず）と、不活性ガス容器に接続されており単一の噴射口３１を有するパイプ状のディスペンサ３２とからなる。判定手段５は、被検査体１の検査部３と対向して検査部３を撮像する撮像手段（ＣＣＤカメラ）９と、撮像手段から得た画像データを分析する処理手段（図示せず）とからなる。
【００３３】
そして、被検査体搬送手段２８は、検査手段３０の前後に配置される複数の送りローラ３３と従動ローラ３６とからなり、検査手段３０に対しシート状の被検査体１を供給および排出するものである。装置枠体２９は、被検査体１の導入口３４と排出口３５とを有しており、この導入口３４と排出口３５との間に、検査手段３０と判定手段５と被検査体搬送手段２８とが収容されている。
【００３４】
この実施形態では、操作者により被検査体１が導入口３４から導入されると（ステップＳ１）、送りローラ３３の回転により、被検査体１が検査手段３０に供給される（ステップＳ２）。そして、不活性ガス容器の不活性ガスが、ディスペンサ３２の噴射口３１から被検査体１の検査部３に向けて噴射される（ステップＳ３）。このとき、不活性ガスの勢いにより各検査部３の周囲の空気が押しやられ、検査部３の表面が無酸素状態となる。従って、可変色色素組成物が変色し、検査部３に変色した真贋判定用符号２が現れる。そこで、撮像手段９により検査部３をそれぞれ撮像し、その画像データを処理手段で分析して（ステップＳ４）、真贋判定用符号２の変色が認識された被検査体１が真正品であると判断される（ステップＳ５）。真正品と判断された被検査体１は、送りローラ３３の回転により、排出口３５から外部に排出される（ステップＳ６）。なお、真贋判定用符号２の変色が認識されず、被検査体１が真正品でないと判断されると（ステップＳ５）、図示しない警告手段から音や表示等による警告が発せられ（ステップＳ７）、動作が中止される。
【００３５】
この実施形態によると、被検査体１を連続的かつ自動的に真贋判定できるので、作業効率が向上する。特に、入場券や搭乗券等を必要とする各種入場口や改札口等に本実施形態の真贋判定装置を設置すると、非常に効果的である。
【００３６】
本発明の真贋判定装置としては、以上説明した様々な構成の検査手段と判定手段とをいかなる組み合わせで採用することも可能であり、前記した実施形態における検査手段と判定手段との組み合わせは例示に過ぎない。また、各検査手段に対応して判定手段を設けることなく、検査者が目視で判定を行う構成にすることもできる。また、第１〜５の実施形態においても、第６の実施形態と同様に被検査体搬送手段を設け、連続的に真贋判定可能な構成とすることもできる。
【００３７】
以上説明した各実施形態において、真正品である被検査体１には、検査部３に、酸素の有無に伴って可逆的に色変化する可変色色素組成物が塗布された真贋判定用符号２が形成されており、偽造品である被検査体１には、検査部３に、酸素の有無に伴って可逆的に色変化する可変色色素組成物が塗布された真贋判定用符号２が形成されていないため、真贋判定可能である。特に、通常状態（有酸素状態）では無色である可変色色素組成物を用いると、通常状態では真贋判定用符号２が全く視認できないので、偽造しようとする者がいたとしても、真贋判定用符号２の存在に気づくことがなく、偽造品に類似の符号を形成することに思い至ることはない。
【００３８】
また、図示しないが、被検査体の検査部が、検査手段により無酸素状態にされる位置かつ判定手段により色調変化が判定可能な位置に適正に配置されたか否かを検知する位置センサーを設け、それに連動して、検査手段および判定手段が作動して真贋判定を行う構成とすることもできる。
【００３９】
また、被検査体が磁気カードである場合は、磁気記録の読み取りと同時に、前記した真贋判定装置による真贋判定を行う構成とすることもできる。その場合、磁気記録読み取り装置に磁気カードを挿入する位置が決まっているので、その位置に合わせて本発明の真贋判定装置を組み込むことが好ましい。
【００４０】
この可変色色素組成物について、以下に詳細に説明する。
可変色色素組成物としては、通常の大気中に含有される程度の酸素濃度を有する雰囲気と、無酸素状態の雰囲気において、色調が明確に変化し、また、この酸素の有無による色調変化が可逆的である限り、どのような可変色色素組成物も利用が可能である。好ましくは、従来、密封包装内の無酸素状態の確認に利用されているような、酸化還元性色素およびそれに対する還元剤と、アルカリ性物質と水とを含む色素組成物が使用される。この可変色色素組成物は、シート状の被検査体１に塗布されるため、インク状に調製され、その塗布面や塗布方法に応じて、水性インクまたは油性インクに調製することができる。
【００４１】
可変色色素組成物においては、酸素濃度に伴って可逆的な色調の変化が起こるが、それは、酸素濃度が高い環境では酸化還元性色素は酸化状態にあるが、無酸素状態では共存する還元剤の作用により酸化状態から還元状態となるからである。この酸化・還元は可逆的であり、共存する還元剤が消費され尽くすまでの間は、その可逆性は持続する。アルカリ性物質と水とは、前記した酸化・還元反応の場を形成し、その反応に伴う色調変化を誘起するに要するｐＨ域の維持にも利用されている。
【００４２】
酸化還元性色素としては、特公昭５５−４７８２０号公報、特公昭５６−２４９０６号公報、特開昭５６−８６４７号公報などに記載されている、メチレンブルーなどのチアジン系色素、インジコスルホン酸カリウムなどのインジコ系色素、チオインジゴ系色素など、さらには、特開平２−１３８８６６号公報に記載されるインドフェノール系色素などが利用可能である。このような酸化還元性色素の酸化体を還元する際に利用される還元剤としては、グルコース、フラクトース、キシロース、マルトースなどの還元性糖類を利用することが好ましい。なお、前記還元性糖類による還元はアルカリ性条件下で進行するため、例えば、水酸化マグネシウムなどのアルカリ性物質と若干量の水を必要とする。
【００４３】
本発明の真贋判定装置により真贋判定を終えると、酸化還元性色素自体は、無酸素状態から再び有酸素状態に戻されるが、その前後で有酸素状態の色調の再現性が高い限り、メチレンブルー系色素もインドフェノール系色素も、好適に利用することができる。つまり、偽造防止の観点から、通常状態では真贋判定用符号２が付されていることがわからないように、元の大気中に長期間置かれた状態に速やかに回復し、また、その後も安定なものがより望ましい。この点では、特開平２−１３８８６６号公報に記載されているインドフェノール系色素は、光照射下に長期に放置された際にも、その褪色の程度はメチレンブルー系色素と比較すると大幅に少なく、より好ましいものである。
【００４４】
例えば、メチレンブルー系色素を利用した可変色色素組成物の組成の一例は、表１に示すように、酸化還元性色素のメチレンブルーと、その還元剤である還元性糖類（Ｄ−グルコース）とを用い、アルカリ性物質としては、潮解性を示したり高い吸水性を有するものでない水酸化マグネシウムなどが好適であり、これに必要な水を加えた組成である。
【００４５】
【表１】
0004740444.tif 000002
【００４６】
インドフェノール系色素を利用した可変色色素組成物の組成の一例は、以下に示すように、酸化還元性色素の２，６−ジクロルインドフェノール・ナトリウム塩と、その還元剤である還元性糖類（Ｄ−グルコース）とを用い、アルカリ性物質として炭酸ナトリウムを加え、これに必要な水を加えた組成である。また、この例では、液体にするために、メチルアルコールを溶媒として加えてある。酸化還元性色素の２，６−ジクロルインドフェノール・ナトリウム塩自体は、無酸素状態ではほぼ無色（白色）となるため、アシッドレッド（食用赤色１０６号）を指示色素として添加し、無酸素状態で赤色を示すようにしている。
【００４７】
【表２】
0004740444.tif 000003
【００４８】
また、可変色色素組成物は、好ましくはインク組成物として形成され、スクリーン印刷あるいはフレキソ印刷により所定の図形をなすように印刷される。インク組成は、印刷されるシート材の表面状態や濡れ性などを考慮し、それぞれの印刷方法に合わせて適宜調製される。例えば、スクリーン印刷やフレキソ印刷に利用可能なインク組成の一例を表３〜表８に示す。
【００４９】
【表３】
0004740444.tif 000004
【００５０】
【表４】
0004740444.tif 000005
【００５１】
【表５】
0004740444.tif 000006
【００５２】
【表６】
0004740444.tif 000007
【００５３】
【表７】
0004740444.tif 000008
【００５４】
【表８】
0004740444.tif 000009
【００５５】
前記したインク組成のうちの可変色色素組成物は、例えば表１や表２に示すような組成のものである。
【００５６】
なお、本発明の真贋判定装置および真贋判定方法において被検査体の真正品に塗布される可変色色素組成物を含むインク組成物は、ここに例示するものには限られない。
【００５７】
可変色色素組成物は、外部に直接露出しているか、あるいは酸素通気性の光透過性フィルムや微細な孔の形成された多孔性フィルムによって被覆されており、周囲の雰囲気中の酸素の有無に反応し得る。
【００５８】
検査部３の外部にも可変色色素組成物が塗布されている場合、この部分には酸素不透過性の光透過性フィルムによる被覆を施して無酸素状態に保ち、外見上は異なるインクが利用されているかのように装うこともできる。その際、酸素不透過性の光透過性フィルムとしては、例えば、ポリ塩化ビニリデン、二軸延伸ポリ塩化ビニリデン系フィルム、アクリルニトリル系フィルム、ポリカーボネート系フィルム、セラミック蒸着フィルム（ＰＥＴ）、二軸延伸ポバールフィルム、エチレン・ビニルアルコール共重合体（ＥＶＯＨ樹脂）、ナイロン、ＰＶＡフィルムなどが挙げられる。必要な厚さや、このシート材自体の材質や、完成状態の表面の光沢性などを考慮し、これらのフィルムのうちから適宜選択することができる。
【００５９】
可変色色素組成物からなる真贋判定用符号２は、有酸素状態で無色であり無酸素状態で発色するものであってもよいが、有酸素状態と無酸素状態とで異なる色調で発色するものであってもよい。この場合、有酸素状態の可変色色素組成物と同じような色調のインクを周囲に塗布しておくと、通常状態（有酸素状態）では単色の無地に見える検査部３が、無酸素状態におかれると、可変色色素組成物が変色して真贋判定用符号２が視認されるようになっていてもよい。また、有酸素状態の可変色色素組成物と同じような色調のフィルムで覆うことにより、通常状態（有酸素状態）では真贋判定用符号２が視認されないようにしてもよいが、この場合、このフィルムの、少なくとも真贋判定用符号２上に位置する部分が、切り欠いてあるか、酸素透過性を有するとともある程度の光透過性を有している必要がある。このような構成において、真贋判定用符号２がなんらかの情報を意味する特定の形状（コード）を有していると、真贋判定用符号２が暗号として用いられ、偽造防止により効果的である。
【００６０】
可変色色素組成物は、有酸素状態から無酸素状態へと移行した際に可逆的に色調の変化を起こすが、その現象は、酸化還元性色素が、添加されている還元性糖類などの還元剤の作用により、酸化状態から還元状態へと変換されることで引き起こされる。この還元反応には若干量の水分が共存することが必要であり、可変色色素組成物中に含有される若干量の水分が失われないようにすることが好ましい。従って、有酸素状態から無酸素状態へと移行する際、長時間減圧状態に置かれる工程を経ないようにすることが望ましい。予め、この還元反応において利用される水分が十分な量含有されており、通常の大気中に置かれる限り、必要な水分が保持されるが、長時間減圧状態に置かれると水分が僅かずつ放出される。その結果、減圧状態にある時間が長く水分が減少すると、還元反応が遅くなって長期化し不具合を起こすおそれがある。それを回避するためには、長時間減圧状態に置かれることがないように、具体的には、真贋判定に際し有酸素状態から無酸素状態へと移行する工程は、実質的に大気圧下で行われ、その工程中に減圧状態を経ることのないようにすることが好ましい。
【００６１】
以上の説明において、有酸素状態とは、実質的に大気圧下で大気と実質的に同じ窒素ガスならびに酸素ガスの体積含有率を有する状態である。一方、無酸素状態とは、酸化還元性色素が還元性糖類などの還元剤の作用により酸化状態から還元状態へと変換される反応を阻害するような酸化性気体を含まない状態である。また、有酸素状態から無酸素状態へと移行する工程において減圧状態を経ることのないようにするために、有酸素状態も無酸素状態も実質的に大気圧下にあることが好ましい。
【００６２】
前記の通り、無酸素状態とは、真空状態と、酸化性気体を実質的に含まない気体に包まれた状態とを含むが、後者の場合、この気体は、判定後に除去されるため、大気中に放出されても何ら問題を生じないものであることが好ましい。大気中に放出可能な不活性ガスを主成分とすることが一般的に望ましい。
酸化性気体を実質的に含まない気体とは、酸化還元性色素が還元剤の作用により酸化状態から還元状態へと変換される反応に大きな阻害要因とならない程度に、酸素ガスなどの酸化性気体の含有率が低下していることを意味する。具体的には、可変色色素組成物が、酸素ガス含有率が０．３体積％以下、例えば０．１〜０．３体積％に低下した状態で無酸素状態の色調を示すように調製されている場合、酸素ガス含有率が０．３体積％以下（特に０．１〜０．３体積％）に低下した状態を無酸素状態にする。
【００６３】
このように、大気中に放出しても何らの不都合を引き起こさず、また、比較的に安価に入手できる不活性ガス、例えば窒素ガスなど、元来大気中に存在している不活性ガスを主成分とする実質的に酸素を含有しない気体を利用することが望ましい。
【００６４】
【実施例】
（実施例１）
本実施例では、真贋判定を行う被検査体１として、図９に示すような紙を基材とする入場券を用いた。具体的には、表面にチケットの種別の表示、発行元の表示、他のチケットとの弁別機能をも有するサービスマークや商標、全体の装飾を目的とするデザイン化された図形・模様などが印刷された入場券である。この入場券は、一端部に、未使用と使用済みとの判別を行うために使用開始時に切り離される半券部が設けられている。この実施例では、真贋判定用符号は、中央に位置する八分音符の図形であり、可変色色素組成物を含むインクで入場券表面に印刷されている。この八分音符の図形は、大気中では有酸素状態の色を示している。すなわち、券の上下に配置される星型の部分に用いられる一般のインクと類似する色調である。
【００６５】
可変色色素組成物およびインクは表９に示す組成を有し、この可変色色素組成物を含むインクがスクリーン印刷されている。また、入場券の基材となる紙は、表面にロールコート・ニスインクがコート層として設けられ、光沢を有し、耐水性を有し、通気性を持たないものである。このインクに含まれる酸化還元性色素である２，６−ジクロルインドフェノールナトリウム塩は、添加されているアシッドレッドのために、無酸素状態では赤色、有酸素状態では青色を呈する。。
【００６６】
【表９】
0004740444.tif 000010
【００６７】
可変色色素組成物を含むインクを印刷した真贋判定用符号（八分音符の図形）２は、外見上、装飾デザインとしか認識されず、真贋判定用であるという作為性を暗示するものではない。なお、この入場券を無酸素雰囲気、例えば窒素雰囲気中に置くと、可変色色素組成物からなるインクによる真贋判定用符号２が速やかに変色し、通常の色彩感覚を有する者であれば、一見したのみでそれを識別できた。
【００６８】
この被印刷体１を、図示しない真贋判定装置により真贋判定した。この真贋判定装置は、エアーカーテン状に窒素ガスをおおよそ平行な気流として噴射する複数の噴射口を有するディスペンサを含む検査部と、この窒素気流下にライン状に白色光を照射する光源を備えこの位置に物が存在するか否かを検知する位置センサーとを有している。この真贋判定装置に図９に示す被印刷体１をセットし、位置センサーが被印刷体１の存在を検出すると、それに連動して噴射口から窒素気流が噴射される。この窒素気流を浴びた、可変色色素組成物からなる八分音符の図形（真贋判定用符号２）は、速やかに赤色に変色することが目視で確認された。なお、ここで利用した窒素ガスは、酸素濃度が０．１体積％以下の窒素ガスであり、具体的には、純度９９．９％以上の規格のボンベ供給の窒素ガス、または、液体窒素を気化して製造される純度９９．９％以上の規格の窒素発生装置から供給される窒素ガスであり、両者の結果に差異はなかった。
これに対し、可変色色素組成物が有酸素状態において示す色と同一色の普通のインクを用いて八分音符のマークを印刷した偽造品は、通常状態では、真正品の入場券と違いはないが、無酸素状態の雰囲気中に放置しても、八分音符のマークが変色しないため、真正品ではないことが目視で容易に判定できる。
【００６９】
なお、真贋判定後の被検査体の真正品は、大気中に放置しておくだけで、真贋判定用符号の色調が有酸素状態の色調に復帰するので使用するのに支障がない。
【００７０】
（実施例２）
本実施例では、真贋判定を行う被検査体１として、図１０に示すような紙を基材とする株券を用いた。真贋判定用符号２は、用紙全体に印刷されている地模様の四隅に配置される米印マークである。なお、全体の地模様は、可変色色素組成物の有酸素状態における色調と類似する一般インクを用いた点描模様であり、米印マークは、高密度の点描により描かれており、遠方から見るとマーク形状の存在が判別されるものである。すなわち、本実施例では、可変色色素組成物からなる真贋判定用符号２は、地模様の外周に施されている装飾デザイン化された図形・模様の一部を構成している。従って、外見上、真贋判定用符号は、可変色色素組成物を含むインクにより印刷されていることを気付かせる特徴や作為性を暗示するものではない。なお、利用した可変色色素組成物およびインクは、前記した表９に示す組成のものである。この株券を無酸素雰囲気、例えば窒素雰囲気中に置くと、可変色色素組成物からなるインクによる真贋判定用符号２が速やかに変色し、通常の色彩感覚を有する者であれば、一見したのみでそれを識別できた。
【００７１】
この被印刷体１を、真贋判定装置により真贋判定した。この真贋判定装置は、エアーカーテン状に窒素ガスをおおよそ平行な気流として噴射する複数の噴射口を有するディスペンサを含む検査部と、この窒素気流下にライン状に赤色光を照射する光源を備えその赤色光の反射光の強弱をセンサーにより読み取るイメージセンサーとを有している。
【００７２】
この真贋判定装置に図１０に示す被印刷体１をセットし、赤色光により全体を走査した。その読み取りイメージを表示装置に示したところ、窒素気流下に置かれた米印マークが青色から赤色に変色したことが目視で確認された。
【００７３】
これに対し、可変色色素組成物が有酸素状態において示す色と同一色の普通のインクを用いて米印マークを印刷した偽造品は、通常状態では、真正品の株券と違いはないが、無酸素状態の雰囲気中に放置しても、米印マークが変色しないため、真正品ではないことが目視で容易に判定できる。
【００７４】
なお、本実施例では、可変色色素組成物からなる米印マーク（真贋判定用符号２）が４個所に形成されているが、このうちの１個所のみを検査部３として真贋判定のために無酸素状態におけばよく、被検査体１全体を無酸素状態にする必要はない。
【００７５】
【発明の効果】
本発明によると、酸素の有無に伴って可逆的に色変化する可変色色素組成物の有無によって、被検査体の真贋判定が極めて容易かつ精度よく行える。真贋判定装置が、比較的簡単な構成で安価であるうえに、真贋判定工程の自動化や連続的に大量の被検査体の真贋判定を行うことが容易にできる。さらに、偽造品の発見が容易であるとともに、真贋判定システムが推測されにくく、偽造品の製造が困難になり、ひいては偽造防止の効果を奏することができる。
また、被検査体のうち検査部のみを部分的に無酸素状態にする構成であると、真贋判定装置の小型化と構成の簡略化が図れる。
【図面の簡単な説明】
【図１】本発明にて真贋判定される被検査体を示す平面図である。
【図２】本発明の第１の実施形態の真贋判定装置の模式図である。
【図３】本発明の第２の実施形態の真贋判定装置の模式図である。
【図４】本発明の第３の実施形態の真贋判定装置の模式図である。
【図５】本発明の第４の実施形態の真贋判定装置の模式図である。
【図６】本発明の第５の実施形態の真贋判定装置の模式図である。
【図７】本発明の第６の実施形態の真贋判定装置の模式図である。
【図８】本発明の第６の実施形態の真贋判定装置を用いた真贋判定方法を示すフローチャートである。
【図９】本発明の第１の実施例にて真贋判定される被検査体の平面図である。
【図１０】本発明の第２の実施例にて真贋判定される被検査体の平面図である。
【符号の説明】
１      被検査体
２      真贋判定用符号（可変色色素組成物）
３      検査部
４      検査手段
５      判定手段
６      下板（圧板）
７      透明上板（圧板）
８      加圧ローラ
９      撮像手段（ＣＣＤカメラ）
１０    処理手段
１１    密閉容器
１２    真空ポンプ
１３    検査手段
１４    反射率測定器（判定手段）
１５    カップ
１６    不活性ガスボンベ
１７    弁
１８    検査手段
１９    測色計（判定手段）
２０    スプレー（検査手段）
２１    不活性ガス容器
２２    噴射口
２３    ディスペンサ
２４    検査手段
２５    判定手段
２６    撮像手段（ＣＣＤカメラ）
２７    処理手段
２８    被検査体搬送手段
２９    装置枠体
３０    検査手段
３１    噴射口
３２    ディスペンサ
３３    送りローラ
３４    導入口
３５    排出口
３６    従動ローラ
【図１】
0004740444.tif 000011
【図２】
0004740444.tif 000012
【図３】
0004740444.tif 000013
【図４】
0004740444.tif 000014
【図５】
0004740444.tif 000015
【図６】
0004740444.tif 000016
【図７】
0004740444.tif 000017
【図８】
0004740444.tif 000018
【図９】
0004740444.tif 000019
【図１０】
0004740444.tif 000020